(57)【要約】      （修正有）【課題】靴ひもの先端を容易に固定することができる靴ひも固定具を提供する。【解決手段】靴ひも固定具１０は、靴ひもを通すアイレットを有する靴に使用する靴ひも固定具であって、前記靴ひも固定具１０は、靴本体２０とは分離しており、少なくとも１対の面ファスナを含んで構成されており、前記１対の面ファスナの一方の面ファスナにアイレットを通した靴ひもに取り付ける取付手段を備え、前記取付手段は、長軸の一端が２方向に分岐している部位を有する略Ｔ字状の部材で構成されており、前記部材の前記２方向に分岐している部位が前記１対の面ファスナの一方の面ファスナに取り付けられている。【選択図】図１
2019201786.tif 000002
【特許請求の範囲】
【請求項１】
靴ひもを通すアイレットを有する靴に使用する靴ひも固定具であって、
前記靴ひも固定具は、靴本体とは分離しており、少なくとも１対の面ファスナを含んで構成されており、
前記１対の面ファスナの一方の面ファスナにアイレットを通した靴ひもに取り付ける取付手段を備え、
前記取付手段は、長軸の一端が２方向に分岐している部位を有する略Ｔ字状の部材で構成されており、前記部材の前記２方向に分岐している部位が前記１対の面ファスナの一方の面ファスナの裏面に取り付けられている、靴ひも固定具。
【請求項２】
前記１対の面ファスナの他方の面ファスナは、両面が面ファスナで構成されており、さらに他の面ファスナを装着する、請求項１〜３のいずれかに記載の靴ひも固定具。
【請求項３】
前記１対の面ファスナは、周縁の一部で相互に固定されている、請求項１または２に記載の靴ひも固定具。
【発明の詳細な説明】
【技術分野】
【０００１】
本発明は、靴ひもの先端を容易に固定する靴ひも固定具に関する。
【背景技術】
【０００２】
運動靴や革靴の多くは靴ひもで靴を足に固定する。靴ひもは、使用している間にゆるんだり、ほどけたりする場合がある。また、日本では靴を脱ぐ習慣があるため、一旦靴ひもを緩めた後に、短距離の移動をする場合であっても、再度靴ひもを結ばないと、怪我などの原因となる。さらに、高齢化社会においては、靴ひもを結ぶという行為自体が困難を要する。
【０００３】
このような問題を解決するために、種々の提案がされている。例えば特許文献１には、構成部材の一部乃至は大分が蝶結びの一部または全部ともなり、剛性構造の部分が小さく、靴に配置される場合、靴全体の外観を美化することができる靴ひもの留め具手段が開示されている。
【０００４】
また、特許文献２には、面ファスナで結んだひもを挟む構成が開示されている。
【０００５】
さらに、特許文献３には、面ファスナの一部を靴の両側面に固定し、固定されていない部分を、靴ひもを蝶結びにした輪にくぐらせ、折り返して靴に固定された部分に密着させて、靴ひもを靴に固定したものが提案されている。
【０００６】
しかし、特許文献１に記載の靴の留め具手段は、構造が複雑であり、靴ひもの先端を容易に固定することが難しい。
【０００７】
また、特許文献２に記載の構成では、面ファスナに、靴などへの固定手段を備えないため、使用時に面ファスナが紛失してしまうという問題がある。
【０００８】
また、特許文献３に記載の固定手段は、靴に固定する必要があるので、靴ごとに別個の固定手段を設ける必要があるという問題がある。
【０００９】
一方、靴ひも固定具を靴や靴ひもなどに完全に固定してしまうと、怪我をして靴ひもを早急に取り外す必要がある場合に、早急に取り外せないという問題がある。また、靴ひも固定具を靴本体や靴ひもなどに完全に固定してしまうと、他の靴で使用したい場合に簡単に移動できないという問題がある。
【先行技術文献】
【特許文献】
【００１０】
【特許文献１】特開２００５−１７７００９号公報
【特許文献２】特開２０１１−１２０８６１号公報
【特許文献３】実用新案登録３１９１９４５号公報
【発明の概要】
【発明が解決しようとする課題】
【００１１】
解決しようとする問題点は、簡単な構造で靴ひもの先端を容易に固定することができない点である。
【課題を解決するための手段】
【００１２】
本発明は、靴ひもを通すアイレットを有する靴に使用する靴ひも固定具であって、前記靴ひも固定具は、靴本体とは分離しており、少なくとも１対の面ファスナを含んで構成されており、前記１対の面ファスナの一方の面ファスナにアイレットに通した靴ひもに取り付ける取付手段を備え、前記取付手段は、長軸の一端が２方向に分岐している部位を有する略Ｔ字状の部材で構成されており、前記部材の前記２方向に分岐している部位が前記１対の面ファスナの一方の面ファスナの裏面に取り付けられている、靴ひも固定具である。
【００１３】
本発明の靴ひも固定具は、靴本体とは分離している。この結果、靴を代えても、同じ靴ひも固定具を使うことができる。また、使用時に取付手段を用いて靴ひもに取り付けることができるので、使用時の紛失を防ぐとともに、安定して靴ひもを固定することができる。
【００１４】
また、前記取付手段は、長軸の一端が２方向に分岐している部位を有する略Ｔ字状の部材で構成されており、前記部材の前記２方向に分岐している部位が前記１対の面ファスナの一方の面ファスナの裏面に取り付けられている。この構成によれば、略Ｔ字状の部材の長軸の部分をアイレットに通された靴ひもに差し込むことができる。この結果、容易に、かつ確実に靴ひもを固定することができるとともに、靴ひも固定具を容易に靴から取り外すことができる。
【００１５】
前記１対の面ファスナの他方の面ファスナは、両面が面ファスナで構成されており、さらに他の面ファスナを装着してもよい。この構成により、他方の面ファスナ上に別の面ファスナを装着できる。別の面ファスナの表面に装飾を有するものを装着することにより、靴ひも固定具の装飾を容易に変えることができる。この結果、同一の靴ひも固定具を使用しても、使用目的に応じて装飾を変えることができる。
【００１６】
前記１対の面ファスナは、周縁の一部で相互に固定されていてもよい。この結果、靴ひも固定具の面ファスナの一方の紛失を防ぐことができる。
【発明の効果】
【００１７】
本発明の靴ひも固定具は、靴本体に固定されないので、靴ひもを有する異なる靴に容易に用いることができる。また、靴ひも固定具は、１対の面ファスナで構成されているので、靴ひもの固定を極めて容易に行うことができる。
【図面の簡単な説明】
【００１８】
【図１】図１は、本発明靴ひも固定具の１実施例の斜面図である。
【図２】図２は、本発明の靴ひも固定具１０の具体例の一例を示す概念図である。
【図３】図３は、靴ひも固定具１０に取付手段を設けた一例を示す概念図である。
【発明を実施するための形態】
【００１９】
靴本体に固定せずに、靴ひもの先端を容易に固定することができる靴ひも固定具を実現した。
【実施例１】
【００２０】
図１は、本発明の靴ひも固定具の１実施例の斜面図である。
【００２１】
本発明の靴ひも固定具１０は、靴本体２０に固定されずに、別個に設けられている。本発明の靴ひも固定具１０は、靴ひもをアイレット通した後に靴ひもの先端同士を結ばずに、靴ひもの先端同士を固定することができる。
【００２２】
図２は、本発明の靴ひも固定具１０の具体例の一例を示す概念図である。図２に示すように、本発明の靴ひも固定具１０は、１対の面ファスナ１１および１２で構成されている。図２の例では、１対の面ファスナ１１および１２は、周縁の一部で相互に固定されている。これにより、面ファスナの一方が紛失することを防止できる。しかし、１対の面ファスナ１１および１２は、周縁の一部で相互に固定されていなくてもよい。１対の面ファスナを靴ひも固定具１０として用いることにより、靴ひもの先端同士を結ばずに容易に固定することができる。
【００２３】
面ファスナの表面積は、靴ひもを固定することができる面積であれば、特に制限されない。また、面ファスナの形状は、図２に示す形状に限らず、任意の形状であればよい。靴ひも固定具１０の一対の面ファスナの外部に接する面ファスナ１１の外面上には、装飾を施してもよい。装飾としては、特に制限はなく、靴メーカのマークやチームのマークなど、任意の装飾を用いることができる。また、装飾を付した布帛やプラスチックシートを縫い合わせてもよい。
【００２４】
装飾は、例えば靴ひも固定具１０の一対の面ファスナの一方の面１１の外側に装飾を施した布、プラスチックシートなどを面１１の外側の周縁を縫い付ける、接着剤層を介して貼り付けるなどの公知の方法によって行うことができる。
【００２５】
本発明の靴ひも固定具１０は、靴ひもに取り付けるための取付手段を有している。図３は、靴ひも固定具１０に取付手段を設けた一例を示す概念図である。
【００２６】
図３の例では、取付手段は、長軸の一端が２方向に分岐している部位１７を有する略Ｔ字状の部材１６で構成されており、前記部材の前記２方向に分岐している部位１７が前記１対の面ファスナの一方の面ファスナに取り付けられている。
【００２７】
略Ｔ字状の部材１６は、ある程度強度と可撓性を有する材料で形成されていればよく、例えば樹脂や、アルミニウムなどの金属が用いられる。
【００２８】
略Ｔ字状の部材１６は、部材の２方向に分岐している部位を１対の面ファスナの一方の面ファスナ（靴側）に取り付けられている。略Ｔ字状の部材１６の長軸部分１８は固定されておらず、外部に位置している。これにより、長軸部分１８をアイレットに通した靴紐の靴に面する側に差し込むことにより、靴ひも固定具を固定することができる。略Ｔ字状の部材の取付方法としては、特に制限はないが、部材の２方向に分岐している部位１７の周縁の外側を１対の面ファスナの一方の面ファスナに布、プラスチックシート１９などで縫い付ける、または部材の２方向に分岐している部位１７を１対の面ファスナの一方の面ファスナの裏面に設けた布、プラスチックシートなどに接着剤やテープなどで固定してもよい。図3の例では、部材の２方向に分岐している部位１７の周縁のみを縫い付けているが、１対の面ファスナの一方の面ファスナの周縁全体の大きさの布等を用いて、略Ｔ字状の部材１６の長軸部分１８を外に出して、部材の２方向に分岐している部位の周縁を固定することとしてもよい。
【００２９】
また、一方の面ファスナ（靴側）の全面に布、プラスチックシートを設け、それにスリットを設けて、略Ｔ字状の部材１６の長軸部分１８のみが外部に露出し、部材の２方向に分岐している部位を内部で布、プラスチックシートに固定する構成としてもよい。この構成にすれば、靴ひも固定具全体のイメージを統一することができる。
【００３０】
その他、１対の面ファスナの他方（外側）の面ファスナは両面が面ファスナで構成されていてもよい。この構成により、他方の面ファスナ上に別の面ファスナを装着できる。別の面ファスナの外側に面する面に装飾を施した別の面ファスナを用いることにより、同一の靴ひも固定具を用いても、靴の使用用途により装飾を変えることが容易になる。
【産業上の利用可能性】
【００３１】
靴本体に固定しない靴ひも固定具を用いるので、靴ひもを用いる任意の靴に使用することができる。この結果、一時的な使用にも対応することができる。また、１対の面ファスナを用いて靴ひもを固定するので、容易に靴ひもを固定することができる。靴ひも固定具を靴ひもに取り付ける取付手段を有する場合には、靴ひも固定具の紛失を防止することができる。
【符号の説明】
【００３２】
１０    靴ひも固定具
１１    面ファスナの一方の面
１２    面ファスナの他方の面
１６    Ｔ字状の部材
１７    ２方向に分岐している部位
１８    長軸部分
１９    布、プラスチックシートなど
２０    靴本体
【図１】
2019201786.tif 000003
【図２】
2019201786.tif 000004
【図３】
2019201786.tif 000005